(57)【特許請求の範囲】
【請求項１】
灯光に着色を行うための着色グローブが設けられる補助前照灯であり、前記着色グローブが光源ソケットに関与することなく反射鏡に直付けされて成る補助前照灯において、
前記着色グローブは、前記反射鏡に設けられ照射方向側を小径とする略円筒状とし前記着色グローブの基部に設けられるテーパー部と内径側で嵌合するグローブ受部と、前記反射鏡の前記グローブ受部にこの反射鏡の背面側から取付けられ略リング状としたグローブ押え板とから成り、
前記グローブ押え板には、グローブ押え板からテーパー部との接触面に向かってテーパー部の端部に沿うように正面から見て円周方向に延伸された形状をなすスプリング部が設けられ、該スプリング部で前記着色グローブの端面を押して取付けが行われる構成としたことを特徴とする補助前照灯。
【発明の詳細な説明】
【０００１】
【発明の属する技術分野】
本発明は車両用灯具に関するものであり、詳細には灯色に着色が行われ、降雨時、霧の発生時などの悪条件下においても視界を確保して前照灯を補助する目的で設置されるフォグランプなど補助前照灯に係るものである。
【０００２】
【従来の技術】
従来のこの種の補助前照灯９０の構成の例を示すものが図４であり、この補助前照灯９０は、白熱電球などによる光源９１と、反射鏡９２と、アウターレンズ９３と、ハウジング９４と、光源ソケット９５と、着色グローブ９６と、グローブ押え板９７とから構成されている。
【０００３】
このときに、前記光源ソケット９４と前記着色グローブ９６とを反射鏡９２に設けると、双方の構成が位置的に重なり合い構成が煩雑化するものとなるので、この例の補助前照灯９０では、光源ソケット９５はハウジング９４側に取付けられ、着色グローブ９６は反射鏡９２側に取付けられるものとされている。
【０００４】
前記着色グローブ９６の取付けに当っては、着色グローブ９６の基部に径が暫増するテーパー部９６ａを設けると共に、反射鏡９２には前記テーパー部９６ａの外径と同じテーパーとしたグローブ受部９２ａを設けておき、両者を嵌合した状態で図５に示す略リング状としたグローブ押え板９７で係止するものであり、このグローブ押え板９７の外径側には反射鏡９２に掛着する外爪９７ａの適宜数が設けられ、同じグローブ押え板９７の内径側には前記テーパー部９６ａの内径に密接する形状とした内爪９７ｂの適宜数が設けられている。
【０００５】
【発明が解決しようとする課題】
しかしながら、前記した従来の構成においては、着色グローブ９６がガラスの型押し製品であることで、素材の金型への供給量の誤差などにより寸法精度にバラツキを生じやすく、テーパー部９６ａに肉厚の差などを生じやすい。このときに、肉厚が厚い場合には内爪９７ｂにより過剰な応力がテーパー部９６ａにかかり破損を生じやすく、また、肉厚が薄い場合には内爪９７ｂによる保持が不充分となりガタなどによる異音を生じやすく、生産性の低下と歩留りの低下を生じ、この種の補助前照灯がコストアップする問題点を生じている。
【０００６】
【課題を解決するための手段】
本発明は前記した従来の課題を解決するための具体的手段として、灯光に着色を行うための着色グローブが設けられる補助前照灯であり、前記着色グローブが光源ソケットに関与することなく反射鏡に直付けされて成る補助前照灯において、前記着色グローブは、前記反射鏡に設けられ照射方向側を小径とする略円筒状とし前記着色グローブの基部に設けられるテーパー部と内径側で嵌合するグローブ受部と、前記反射鏡の前記グローブ受部にこの反射鏡の背面側から取付けられ略リング状としたグローブ押え板とから成り、前記グローブ押え板には、グローブ押え板からテーパー部との接触面に向かってテーパー部の端部に沿うように正面から見て円周方向に延伸された形状をなすスプリング部が設けられ、該スプリング部で前記着色グローブの端面を押して取付けが行われる構成としたことを特徴とする補助前照灯を提供することで課題を解決するものである。
【０００７】
【発明の実施の形態】
つぎに、本発明を図に示す実施形態に基づいて詳細に説明する。図１に符号１で示すものは本発明に係る補助前照灯であり、この補助前照灯１も、白熱電球などによる光源２と、反射鏡３と、アウターレンズ４と、ハウジング５と、光源ソケット６と、着色グローブ７とから構成されているものである点は従来例のものと同様である。
【０００８】
また、前記ハウジング５の側には光源ソケット６が取付けられ、反射鏡３の側には着色グローブ７が取付けられるようにして、両者の取付け機構が位置的に重なり合い煩雑化するのを避ける構成とされ、更に、前記着色グローブ７の基部にはテーパー部７ａが設けられ、反射鏡３の側に設けられたグローブ受部３ａにグローブ押え板８で係着させるものである点も従来例と同様である。
【０００９】
このときに、前記グローブ受部３ａは従来例で説明したものと同様に、前記着色グローブ７のテーパー部７ａと嵌合するように同じテーパーをもって先細りの略円筒状に形成されるものであり、このグローブ受部３ａの内径とテーパー部７ａの外径とが適宜手段で圧接されて着色グローブ７の保持が行われるものである。
【００１０】
ここで、本発明では前記着色グローブ７に生じる寸法誤差に着目するものであり、この発明を成すための発明者による検討結果では、上記説明のようにテーパー部７ａを設けた着色グローブ７においては、前記テーパー部７ａの肉厚及び長さの部位に主として生じるものであることが判明した。
【００１１】
上記の実状に鑑みて、本発明では、前記グローブ押え板８を図２に示すように形成するものであり、前記テーパー部７ａの肉厚及び長さに変化を生じたときにも、双方共に吸収可能とする目的で、図２及び図３に示す形状としたグローブ押え板８を開発した。
【００１２】
このグローブ押え板８は全体形状は従来例と同様に全体形状が略リング状とされるものであり、外径側には前記反射鏡３のボス３ｂなどに掛着する外爪８ａの適宜数（図示は２個所の例で示してある）が設けられている点も同様であるが、内径側には複数（図示は４個所の例で示してある）のスプリング部８ｂが設けられている。
【００１３】
前記スプリング部８ｂは、前記テーパー部７ａの端部を前記着色グローブ７を軸方向に押す圧力を生じるように形成されているものであり、よって、前記テーパー部７ａの端部に沿う形状、即ち、正面形状を円弧状として形成されている。
そして、スプリング部８ｂを設ける数を調整するなどして必要充分なストロークも得られるものとしている。
【００１４】
同時に、前記スプリング部８ｂは図３に示すように側面から見るときのテーパー部７ａの端部との接触面８ｃを円弧状など曲面とし、着色グローブ７のテーパー部７ａの端部とは、できるだけ広い面積で接するものとして、この端部に加わる応力の集中を避けられる形状としている。
【００１５】
このようにテーパー部７ａの端部を押すものとしたことで、本発明のグローブ押え板８においては、テーパー部７ａの肉厚、及び、長さのバラツキには影響を受けることなく、テーパー部７ａの外径をグローブ受部３ａの内径に確実に圧接することができるものとなる。
【００１６】
尚、車両用灯具の分野においては、例えば、プロジェクタ型ヘッドランプの投影レンズなどのようにガラス部材で形成され、それにより厚み方向にバラツキを生じている部品が採用されている例がある。この場合、前記グローブ押え板８と同様な構成として、部品の厚み方向からスプリング部８ｂで圧接し取付けを行うのも自在である。
【００１７】
【発明の効果】
以上に説明したように本発明により、灯光に着色を行うための着色グローブが設けられる補助前照灯であり、前記着色グローブが光源ソケットに関与することなく反射鏡に直付けされて成る補助前照灯において、前記着色グローブは、前記反射鏡に設けられ照射方向側を小径とする略円筒状とし前記着色グローブの基部に設けられるテーパー部と内径側で嵌合するグローブ受部と、前記反射鏡の前記グローブ受部にこの反射鏡の背面側から取付けられ略リング状としたグローブ押え板とから成り、前記グローブ押え板にはテーパー部の端部に沿う円周方向となるスプリング部が設けられ、該スプリング部で前記着色グローブの端面を押して取付けが行われる構成とした補助前照灯としたことで、ガラス製品であり寸法精度が比較的に低い着色グローブを使用するこの種の補助前照灯において、着色グローブを端部から軸方向に押すスプリング部を設けるグローブ押え板とすることで寸法精度に左右されることなく着色グローブの取付けを可能として、生産性と歩留りとを向上させ、コストダウンに極めて優れた効果を奏するものである。
【図面の簡単な説明】
【図１】  本発明に係る補助前照灯の実施形態を示す断面図である。
【図２】  同じ実施形態の要部を示す斜視図である。
【図３】  図２のＡ−Ａ線に沿う断面図である。
【図４】  従来例を示す断面図である。
【図５】  従来例の要部を示す斜視図である。
【符号の説明】
１……補助前照灯
２……光源
３……反射鏡
３ａ……グローブ受部
３ｂ……ボス
４……アウターレンズ
５……ハウジング
６……光源ソケット
７……着色グローブ
７ａ……テーパー部
８……グローブ押え板
８ａ……外爪
８ｂ……スプリング部
【図１】
0004565592.tif 000002
【図２】
0004565592.tif 000003
【図３】
0004565592.tif 000004
【図４】
0004565592.tif 000005
【図５】
0004565592.tif 000006